(57)【特許請求の範囲】
【請求項１】
吸気口と吹出口を有する本体ケースと、この本体ケース内で、前記吸気口から前記吹出口へ連通する風路に設けた送風手段と、この風路に放電生成物発生手段とを設け、前記本体ケースは、前記本体ケースの上部である上本体ケース部と、前記本体ケースの下部である下本体ケース部と、傾斜部とから形成し、前記本体ケースの前記上本体ケース部の外周側面は、前記本体ケースの前記下本体ケース部の外周側面より外方に位置し、前記本体ケースの前記上本体ケース部と前記本体ケースの前記下本体ケース部との間には、前記本体ケースの前記上本体ケース部と前記本体ケースの前記下本体ケース部とを繋ぐ前記傾斜部を備え、前記傾斜部に前記吸気口を設け、底面が塞がれた略筒形状のドリンクーホルダーに装着して使用する場合に、ドリンクーホルダーの大きさが異なっても、ドリンクーホルダーの上端部が、前記本体ケースの前記上本体ケース部、前記本体ケースの前記下本体ケース部、または前記傾斜部の前記吸気口に接触することを特徴とする放電生成物発生装置。
【請求項２】
前記傾斜部は、前記本体ケースにおける内方に凸形状である曲面で形成された請求項１に記載の放電生成物発生装置。
【請求項３】
前記本体ケースの上部、および下部は円柱形状であることを特徴とする請求項１または２に記載の放電生成物発生装置。
【請求項４】
前記放電生成物発生手段は、放電生成物発生部と高電圧発生部とから形成し、前記本体ケース内の上部に前記放電生成物発生部と前記送風手段とを設け、前記本体ケース内の下部に設けた前記高電圧発生部を備え、前記送風手段は、スクロール形状のケーシングと、このケーシング内に設けた電動機と、この電動機によって回転する羽根によって形成され、前記ケーシングは、上面に吐出口を有し、側面に吸込口を備え、この吸込口に対して前記吸気口の少なくとも一部が対向して位置することを特徴とする請求項１から３のいずれかに記載の放電生成物発生装置。
【請求項５】
前記本体ケースの前記吸気口には、着脱自在なフィルター部を設け、このフィルター部の水平断面形状は、半円弧形状であることを特徴とする請求項３または４のいずれかに記載の放電生成物発生装置。
【発明の詳細な説明】
【技術分野】
【０００１】
本発明は、高電圧を印加することにより放電生成物を生成し、除菌や脱臭を行なう放電生成物発生装置に関する。
【背景技術】
【０００２】
従来のこの種の放電生成物装置の構成は以下のようになっていた。
【０００３】
すなわち、吹出口と吸込口とを設けた本体ケースと、この本体ケース内の吸込口から吹出口への風路に放電生成物手段を備えた構成となっていた。
【０００４】
（例えば、これに類似する先行文献は下記特許文献１に記載されている。）
【先行技術文献】
【特許文献】
【０００５】
【特許文献１】特開２０１１−０３３３０４号公報
【発明の概要】
【発明が解決しようとする課題】
【０００６】
上記従来例における課題は、放電生成物装置による放電生成物の発生量が減少するということであった。
【０００７】
すなわち、従来の物においては、車内で使用する場合には、底面が塞がれた略筒形状のドリンクーホルダーに放電生成物装置を装着して使用するものであった。ところが、ドリンクーホルダーの大きさには種類があり、ドリンクーホルダーの大きさによっては、吸込口がドリンクーホルダーの内面と接触することによって塞がれ、風量が減少し、結果として、放電生成物の発生が減少する場合があった。
【０００８】
そこで本発明は、放電生成物装置による放電生成物の発生量の減少を抑制することを目的とするものである。
【課題を解決するための手段】
【０００９】
そしてこの目的を達成するために本発明は、吸気口と吹出口を有する本体ケースと、この本体ケース内で、前記吸気口から前記吹出口へ連通する風路に設けた送風手段と、この風路に放電生成物発生手段とを設け、前記本体ケースは、前記本体ケースの上部である上本体ケース部と、前記本体ケースの下部である下本体ケース部と、傾斜部とから形成し、前記本体ケースの前記上本体ケース部の外周側面は、前記本体ケースの前記下本体ケース部の外周側面より外方に位置し、前記本体ケースの前記上本体ケース部と前記本体ケースの前記下本体ケース部との間には、前記本体ケースの前記上本体ケース部と前記本体ケースの前記下本体ケース部とを繋ぐ前記傾斜部を備え、前記傾斜部に前記吸気口を設け、底面が塞がれた略筒形状のドリンクーホルダーに装着して使用する場合に、ドリンクーホルダーの大きさが異なっても、ドリンクーホルダーの上端部が、前記本体ケースの前記上本体ケース部、前記本体ケースの前記下本体ケース部、または前記傾斜部の前記吸気口に接触することを特徴とする構成であり、これにより、初期の目的を達成するものである。
【発明の効果】
【００１０】
以上のように本発明は、吸気口と吹出口を有する本体ケースと、この本体ケース内で、前記吸気口から前記吹出口へ連通する風路に設けた送風手段と、この風路に放電生成物発生手段とを設け、前記本体ケースは、前記本体ケースの上部である上本体ケース部と、前記本体ケースの下部である下本体ケース部と、傾斜部とから形成し、前記本体ケースの前記上本体ケース部の外周側面は、前記本体ケースの前記下本体ケース部の外周側面より外方に位置し、前記本体ケースの前記上本体ケース部と前記本体ケースの前記下本体ケース部との間には、前記本体ケースの前記上本体ケース部と前記本体ケースの前記下本体ケース部とを繋ぐ前記傾斜部を備え、前記傾斜部に前記吸気口を設け、底面が塞がれた略筒形状のドリンクーホルダーに装着して使用する場合に、ドリンクーホルダーの大きさが異なっても、ドリンクーホルダーの上端部が、前記本体ケースの前記上本体ケース部、前記本体ケースの前記下本体ケース部、または前記傾斜部の前記吸気口に接触することを特徴とする構成であり、放電生成物装置による放電生成物の発生量の減少を抑制することを目的とするものである。
【００１１】
すなわち、本体ケースの上本体ケース部の外周側面は、本体ケースの下本体ケース部の外周側面より外方に位置し、本体ケースの上本体ケース部と本体ケースの下本体ケース部とを繋ぐ傾斜部に吸気口を設けたので、放電生成物装置を底面が塞がれた略筒形状のドリンクーホルダーに装着して使用する場合に、ドリンクーホルダーの大きさが異なっても、ドリンクーホルダーの上端部が、本体ケースの上本体ケース部、本体ケースの下本体ケース部、または傾斜部の吸気口に接触し、ドリンクーホルダーの内面と吸気口との間に空間ができるので、吸込口がドリンクーホルダーの内面と接触することによって塞がれ、風量が減少することを抑制できる。
【００１２】
これらの結果により、放電生成物装置による放電生成物の発生量の減少を抑制することができるものである。
【図面の簡単な説明】
【００１３】
【図１】本発明の実施の形態１の放電生成物装置の斜視図
【図２】本発明の同放電生成物装置の概略断面を示す図
【図３】本発明の同放電生成物装置の内部概略を示す図
【図４】本発明の同放電生成物発生手段の斜視図
【図５】本発明の同放電生成物発生手段の斜視図
【発明を実施するための形態】
【００１４】
以下、本実施形態を添付図面を用いて説明する。
【００１５】
（実施の形態１）
図１から図３に示すように、本実施形態の放電生成物装置は、略円柱箱形状の本体ケース１を有し、この本体ケース１は、本体ケースの上部である上本体ケース部２と、本体ケースの下部である下本体ケース部３と、これら上本体ケース部２と下本体ケース部３とを繋ぐ傾斜部４とから形成している。
【００１６】
上本体ケース部２は、上面が塞がれた円筒形状で、下本体ケース部３は、下面が塞がれた円筒形状である。上本体ケース部２の外周側面は、下本体ケース部３の外周側面より本体ケース１の中心軸に対して、外方に位置するものである。つまり、上本体ケース部２の直径は、下本体ケース部３の直径より大きいものである。
【００１７】
傾斜部４は、下方開口から上方開口へ向かうにつれ、徐徐に開口面積が大きくなる円筒形状で、上本体ケース部２と下本体ケース部３との間に位置すると共に、上本体ケース部２の下方の開口端部と、下本体ケース部３の上方の開口端部とを繋いでいる。
【００１８】
本体ケース１の上本体ケース部２の上面には、吹出口５を備え、傾斜部４には吸気口６を有している。この本体ケース１内には、吸気口６から吹出口５に送風する送風手段７と、放電生成物発生手段９を備えている。
【００１９】
吹出口５は、略横長四角形状で上本体ケース部２上面の一端側に位置し、吸気口６は、略四角形状で本体ケース１の背面側側面に位置し、着脱自在なフィルター部であるフィルター８を備えている。このフィルター８の水平断面形状は、略半円弧形状である。
【００２０】
送風手段７は略スクロール形状のケーシング１０と、このケーシング１０内に固定された電動機１１と、この電動機１１によって回転する羽根１２とから形成している。ケーシング１０の上面には略横長四角形状の吐出口２０を備え、側面には略リング形状の吸込口１３を設けている。この吸込口１３に対して本体ケース１の吸気口６の少なくとも一部が対向して位置する。
【００２１】
また、放電生成物発生手段９は、放電生成物発生部１４と高電圧発生部１５とから形成している。本体ケース１内の上部には、放電生成物発生部１４と送風手段７とを設け、本体ケース１内の下部には、高電圧発生部１５を備えている。
【００２２】
ここで、放電生成物発生部１４について説明すると、図３、４に示すように、この放電生成物発生手段９は、放電電極１６と、この放電電極１６に対向して配置された対向電極１７とを有している。この放電電極１６を冷却する冷却部として配置したペルチェ素子１８と、このペルチェ素子１８の熱を放熱する放熱フィン１９とを備えている。高電圧発生部１５は、これらの対向電極１７と放電電極１６間に高電圧（この実施形態では−５ＫＶ）を印加するものである。
【００２３】
ペルチェ素子１８は０．７５Ｖ〜２．８Ｖ程度の電圧を印加するものであり、この実施形態では、放電電極１６側を低温に、放熱フィン１９側を高温にする。この放電電極１６部分で冷却されることで、結露すると、放電生成物である帯電微粒子水が発生することになる。この帯電微粒子水中のヒドロキシルラジカルが臭いと反応し、それを酸化させることで、臭いを分解することができるのである。
【００２４】
ヒドロキシルラジカルはヒドロキシ基（水酸基）に反応するラジカルであり、このラジカルは通常２個１組で軌道上を回転しているはずの電子が１つしかないので、電気的に非常に不安定で、周りの原子や分子から欠けた電子を奪おうとするために、酸化力が非常に強いものであり、この酸化作用により臭いが分解、除去されるのである。
【００２５】
なお、放電生成物発生部１４は、上記の帯電微粒子水に限らず、除菌や脱臭を行なう放電生成物を発生させるものであればよい。
【００２６】
放電生成物発生手段９は、送風手段７の側部に位置し、放電生成物発生手段９から伸びた連通風路２１を有している。この連通風路２１は、放電生成物発生手段９と、送風手段７の吐出口２０と本体ケース１の吸気口６との間の風路とを連通している。すなわち、放電生成物発生手段９で発生した帯電微粒子水が、この連通風路２１を介して送風手段７の吐出口２０と本体ケース１の吸気口６との間の風路に流れ、更に、送風手段７によって本体ケース１の吹出口５から室内へ送風される。
【００２７】
本実施形態における特徴は、上本体ケース部２の外周側面は、下本体ケース部３の外周側面より外方に位置し、上本体ケース部２と下本体ケース部３との間に傾斜部４を備え、この傾斜部４に吸気口６を設けた点である。
【００２８】
すなわち、本体ケース１の上部の外周側面は、本体ケース１の下部の外周側面より外方に位置し、本体ケース１の上部と本体ケース１の下部とを繋ぐ傾斜部４に吸気口６を設けたので、放電生成物装置を底面が塞がれた略筒形状のドリンクーホルダーに装着して使用する場合に、ドリンクーホルダーの大きさが異なっても、ドリンクーホルダーの上端部が、本体ケース１の上部、本体ケース１の下部、または傾斜部４の吸気口６に接触し、ドリンクーホルダーの内面と吸気口の間に空間ができるので、吸込口１３がドリンクーホルダーの内面と接触することによって塞がれ、風量が減少することを抑制できる。
【００２９】
これらの結果により、放電生成物装置による帯電微粒子水の発生量の減少を抑制することができるものである。
【００３０】
また、傾斜部４は、本体ケース１における内方に凸形状である曲面で形成されたものである。すなわち、傾斜部４の垂直断面形状が曲線となるので、垂直断面形状が直線となるものに比べ、傾斜部４の表面積が増加し、結果として、フィルター８の表面積も増加するので、通風抵抗を低減できる。
【００３１】
また、本体ケース１の上部である上本体ケース部２と、本体ケース１の下部である下本体ケース部３は円柱形状であるので、持ち運び易いものである。
【００３２】
また、放電生成物発生手段９は、放電生成物発生部１４と高電圧発生部１５とから形成し、本体ケース１内の上部に放電生成物発生部１４と送風手段７とを設け、本体ケース１内の下部に設けた高電圧発生部１５を備えている。送風手段と７は、ケーシング１０内に設けた電動機１１と、この電動機１１によって回転する羽根１２によって形成されている。このケーシング１０は、上面に吐出口２０を有し、側面に吸込口１３を備えている。ここで、この吸込口１３に対して本体ケース１の吸気口６の少なくとも一部が対向して位置するものである。更に、この吐出口２０に対して本体ケース１の吹出口５の少なくとも一部が対向して位置するものである。
【００３３】
すなわち、送風手段７であるケーシング１０は、高電圧発生部１５の上方に位置すると共に、本体ケース１の吸気口６からケーシング１０の吸込口１３へと繋がる風路と、ケーシング１０の吐出口２０から本体ケース１の吹出口５へと繋がる風路とがなす角度が９０度となる。これにより、本体ケース１の吸気口６から本体ケース１の吹出口５へ風路を、送風手段７が本体ケース１の下部に位置する場合に比べ、短くすることができる。
【００３４】
また、本体ケースの吸気口には、着脱自在なフィルター部を設け、このフィルター部であるフィルター８の水平断面形状は、半円弧形状である。
【００３５】
すなわち、フィルター８の水平断面形状は、半円弧形状となるので、水平断面形状が直線となるものに比べ、投影寸法が大きくなるので、運転席と助手席の間にありスイッチ類が収められている部分であるセンターコンソールと、車載内のシートとの隙間に入り込み難くなる。
【産業上の利用可能性】
【００３６】
以上のように本発明は、吸気口と排気口を有する本体ケースと、この本体ケース内で、前記吸気口から前記排気口へ連通する風路に設けた送風手段と、この風路に放電生成物を発生させる放電生成物発生手段とを設け、前記本体ケースの上部の外周側面は、前記本体ケースの下部の外周側面より外方に位置し、前記本体ケースの上部と前記本体ケースの下部との間には、前記本体ケースの上部と前記本体ケースの下部とを繋ぐ傾斜部を備え、この傾斜部に前記吸気口を設けたことを特徴とする構成であり、放電生成物装置による帯放電生成物の発生量の減少を抑制することを目的とするものである。
【００３７】
すなわち、本体ケースの上部の外周側面は、本体ケースの下部の外周側面より外方に位置し、本体ケースの上部と本体ケースの下部とを繋ぐ傾斜部に吸気口を設けたので、放電生成物装置を底面が塞がれた略筒形状のドリンクーホルダーに装着して使用する場合に、ドリンクーホルダーの大きさが異なっても、ドリンクーホルダーの上端部が、本体ケースの上部、本体ケースの下部、または傾斜部の吸気口に接触し、ドリンクーホルダーの内面と吸気口との間に空間ができるので、吸込口がドリンクーホルダーの内面と接触することによって塞がれ、風量が減少することを抑制できる。
【００３８】
これらの結果により、放電生成物装置による放電生成物の発生量の減少を抑制することができるものである。
【００３９】
従って、家庭用、事務所用、車内用などの、放電生成物装置として活用が期待されるものである。
【符号の説明】
【００４０】
１    本体ケース
２    上本体ケース部
３    下本体ケース部
４    傾斜部
５    吹出口
６    吸気口
７    送風手段
８    フィルター
９    放電生成物発生手段
１０  ケーシング
１１  電動機
１２  羽根
１３  吸込口
１４  放電生成物発生部
１５  高電圧発生部
１６  放電電極
１７  対向電極
１８  ペルチェ素子
１９  放熱フィン
２０  吐出口
２１  連通風路
【図１】
0005849183.tif 000002
【図２】
0005849183.tif 000003
【図３】
0005849183.tif 000004
【図４】
0005849183.tif 000005
【図５】
0005849183.tif 000006